(57)【要約】【課題】扉の開閉と物品の入出庫の履歴を、扉を開けた人物の識別情報とともに記録する、利用者認証機能付きのロッカーシステムを提案する。【解決手段】物品収納室１２の開口部に扉１８を付し、扉の施錠手段２４を有するロッカー本体２と、扉１８の解除操作を行う人物の生体情報を読み取り、認証用の情報と照合し、認証が成立した場合のみ解除操作に応じて施錠手段２４に解錠信号を送る制御部３０と、制御部から送られた扉１８の施解錠の履歴及び解錠者の識別情報を経時的に記憶する管理部５０とを備える。制御部３０は、さらに物品収納室１２内の検知用エリアＡへの物品の持込み及び当該エリアからの物品の持出しを検知することが可能な物品センサ３４を有する。管理部５０は、制御部３０が送信した扉の施解錠動作の情報と物品の持込み乃至持出しの情報とを、それぞれの順序が判るように表示する。【選択図】図１
2012057371.tif 000002
【特許請求の範囲】
【請求項１】
物品収納室（１２）の開口部に扉（１８）を付設し、この扉をロックするための施錠手段（２４）を設けたロッカー本体（２）と、
扉（１８）の解除操作をする人の生体情報を読み取るとともに、認証用の情報と照合して認証が成立した場合のみ解除操作に応じて施錠手段２４に解錠信号を送る制御部（３０）を有し、この制御部が形成した扉（１８）の施解錠の履歴及び解錠者の識別情報を管理部（５０）に経時的に記憶するように形成したコントローラ機構（２８）を具備し、
上記制御部（３０）は、さらに物品収納室（１２）内の検知用エリア（Ａ）への物品の持込み及び検知用エリア（Ａ）からの物品の持出しを検知することが可能な物品センサ（３４）を有しており、
上記管理部（５０）は、制御部（３０）が送信した扉の施錠、解錠、物品の持込み、及び物品の持出しの各事象の情報を、少なくともそれら各事象の生じた順序が判るように記憶する機能を有することを特徴とする、利用者認証機能付きロッカーシステム。
【請求項２】
上記コントローラ機構（２８）は、物品を持ち出した時刻及び物品を持ち込んだ時刻、或いは扉を施錠した時刻及び扉を解錠した時刻を記憶することを特徴とする、請求項１記載の利用者認証機能付きロッカーシステム。
【請求項３】
上記検知用エリア（Ａ）は、物品を載置するための載置面とし、
上記物品センサ（３４）は、上記検知用エリア（Ａ）に置かれた物品の位置・荷重など、当該物品が検知用エリアの上にあることを示す情報量を、少なくとも扉が解錠されている状態で継続的に測定し、その情報量の変化により検知用エリア（Ａ）への物品の持込み及び検知用エリア（Ａ）からの物品の持出しを検知するように形成したことを特徴とする、請求項２に記載の利用者認証機能付きロッカーシステム。
【請求項４】
上記物品センサ（３４）は、上記検知用エリア（Ａ）に置かれた物品の荷重圧力を検知する機能を有したことを特徴とする、請求項３に記載の利用者認証機能付きロッカーシステム。
【請求項５】
上記物品センサ（３４）は、物品の荷重を測定する機能を有し、この荷重の変化を、扉（１８）の開閉及び物品の持込み及び持出しの記録とともにコントローラ機構２８に記憶するように構成したことを特徴とする、請求項４に記載の利用者認証機能付きロッカーシステム。
【発明の詳細な説明】
【技術分野】
【０００１】
本発明は、利用者認証機能付きロッカーシステムに関する。
【背景技術】
【０００２】
例えば高価な機械・安全管理が必要な薬品・機密書類などの物品を特定の人間に使用させたいときに、ロッカーに錠を施し、複数の利用者に鍵を渡すことが行われる。しかしながら、利用者の一人が鍵を紛失すると物品の安全を保障できない。
【０００３】
そうした不便を解消するために、指紋や身体的特徴・静脈などの生体情報により、予め登録された人物を認証し、ロッカーの扉の解錠を許可するシステムが提案されている（特許文献１の００５４及び特許文献２の段落０００２）。
【０００４】
他方、ロッカー以外では、自動販売機の売上金の盗難防止のために扉の解錠を生体認証した作業員に許可し、そのＩＤを記憶するものも提案されている（特許文献３）。
【０００５】
宝飾品などの物品陳列板にかかる荷重を重量センサで測り、陳列板から物品が離れた後一定時間内に荷重が戻らないと警報を発する方法も提案されている（特許文献４）。
【０００６】
また宅配便を一時的に預ける共同ロッカー装置であって、配達人が認証カードを挿入して扉を開け、物品を納めたことを重量センサで検知して、配送人が装置に挿入した伝票に、物品の重量や配達時間を印刷し（特許文献５の段落００２４）、利用者が物品を受理して扉を閉じたときの時刻を印刷する（段落００１８）ものが知られている。
【先行技術文献】
【特許文献】
【０００７】
【特許文献１】特開２００２−２６００７３
【特許文献２】特開２０１０−００９３６４
【特許文献３】特開２００３−２３２１５４
【特許文献４】特開平１０−３０４９５４
【特許文献５】特開平０５−０９８８５７
【発明の概要】
【発明が解決しようとする課題】
【０００８】
特許文献１〜２のロッカーシステムは、生体認証された人物に扉の解錠を許可するが、物品が紛失したときの責任の所在が明確ではない。
【０００９】
特許文献３のものは、扉を解錠した者が記憶に残るが、物品の入出庫を監視していないので、物品が紛失しても紛失を生じた時点を特定することが難しい。
【００１０】
特許文献４の方法は、陳列板から物品が一定時間離れたときに盗難と見なしている。しかしこの方法は、物品の利用時間が区々である通常のロッカーには適用できない。
【００１１】
特許文献５のシステムは、扉を閉じた時間を宅配物の受取り時間と扱って記憶する。宅配物を一時的預かるという用途においては、かような扱いをしても格段不都合を生じないであろうが、機密資料などをロッカーに保管し、共用する場合は事情が異なる。
【００１２】
その場合には、扉を開けることが必ずしも物品を持ち出すことを意味しないからである。例えば扉を開けても目的の物品を他人が持ち出している可能性もあるし、目的の場所と異なる扉を間違ってあけることもある。
【００１３】
また薬品庫などでは、過剰な消費などの不適切な使用を監視することが望ましい。
【００１４】
本発明の第１の目的は、利用者を認証可能なロッカーシステムにおいて、扉の解施錠及び物品の持込み・持出しの履歴と利用者の情報とを管理可能とすることである。
【００１５】
本発明の第２の目的は、上記の管理機能を有する生体認証機能付きのロッカーシステムにおいて、物品の持込み及び持出しの時刻を記録できるようにすることである。
【００１６】
本発明の第３の目的は、上記の管理機能を有する生体認証機能付きのロッカーシステムにおいて、保管される物品の重量の変化を記憶できるようにすることである。
【課題を解決するための手段】
【００１７】
第１の手段は、
物品収納室１２の開口部に扉１８を付設し、この扉をロックするための施錠手段２４を設けたロッカー本体２と、
扉１８の解除操作をする人の生体情報を読み取るとともに、認証用の情報と照合して認証が成立した場合のみ解除操作に応じて施錠手段２４に解錠信号を送る制御部３０を有し、この制御部が形成した扉１８の施解錠の履歴及び解錠者の識別情報を管理部５０に経時的に記憶するように形成したコントローラ機構２８を具備し、
上記制御部３０は、さらに物品収納室１２内の検知用エリアＡへの物品の持込み及び検知用エリアＡからの物品の持出しを検知することが可能な物品センサ３４を有しており、
上記管理部５０は、制御部３０が送信した扉の施錠、解錠、物品の持込み、及び物品の持出しの各事象の情報を、少なくともそれら各事象の生じた順序が判るように記憶する機能を有する。
【００１８】
本手段は、利用者の生体認証及び扉の施解錠の履歴の記憶ができるロッカーシステムにおいて、図２の如く物品の持込み及び持出しを検知する物品センサ３４を設けることを提案する。生体認証を利用して物品を持ち出した個人を特定することで、各利用者の責任感を刺激し、物品の紛失や不必要に長時間の持出しを回避できる。
【００１９】
「ロッカー」は、施錠可能な扉付きの物品収納用設備である。「生体認証」は、後述の如く従来周知の方式を採用できる。「物品センサ」は、図示例の感圧センサや重力センサに限らず、光学的センサなどを用いてもよい。「コントローラ機構」は、ロッカー本体の扉の開閉及び認証装置を制御する制御部と、必要な情報を記憶する管理部とを有する。図２の例ではロッカー本体に制御部を組み込むとともに、ロッカー本体の外に管理部を設けているが、この場合において管理部とは別に一時的に所要の情報（履歴など）を制御部に記憶するようにしてもよい。また例えば一個のロッカーに本発明を適用する場合などには制御部が管理部を含んでいても構わない。また管理部は、施錠・解錠・物品の持込み乃至持出しの順序が判るように記憶する。もっとも物品の持込み乃至持出しは、施錠操作に付随する事項として記憶してもよい（表２参照）。各事象の時刻を記憶することは必須ではない。
【００２０】
第２の手段は、第１の手段を有し、かつ上記コントローラ機構２８は、物品を持ち出した時刻及び物品を持ち込んだ時刻、或いは扉を施錠した時刻及び扉を解錠した時刻を記憶するものとする。
【００２１】
本手段は、コントローラ機構（管理部又は制御部）に物品の利用時間を特定するために必要な時刻を記憶することを提案する。物品を持ち出した時刻及び物品を持ち込んだ時刻を記憶することが最善であるが、代りに扉の施錠・解錠の各時刻を記憶してもよい。
【００２２】
第３の手段は、第２の手段を有し、かつ
上記検知用エリアＡは、物品を載置するための載置面とし、
上記物品センサ３４は、上記検知用エリアＡに置かれた物品の位置・荷重など、当該物品が検知用エリアの上にあることを示す情報量を、少なくとも扉が解錠されている状態で継続的に測定し、その情報量の変化により検知用エリアＡへの物品の持込み及び検知用エリアＡからの物品の持出しを検知するように形成している。
【００２３】
本手段は、物品の所在を示す情報を継続的に観察することを提案する。これにより物品の持込み及び持出しを的確に検知できる。扉を解錠した時点で物品の有無を確認するから盗難予防効果が高まる。物品の荷重圧力を検知する感圧センサや重量センサ、物品が空間の一部を占めることを検知するセンサ（光センサなど）を利用できる。
【００２４】
第４の手段は、第３の手段を有し、かつ
上記物品センサ３４は、上記検知用エリアＡに置かれた物品の荷重圧力を検知する機能を有している。
【００２５】
本手段は、物品の荷重圧力を検知し、圧力の変動を物品の持込み及び持出しの表れとして記憶することを提案する。圧力の変化を２値的に感知する感圧センサ（図５）又は連続量として検知できる重量センサ（図９）の何れも利用できる。物品を検知用エリアから持ち上げるだけで記録に残るから物品の持出しをより確実に検知できる。
【００２６】
第５の手段は、第４の手段を有し、かつ
上記物品センサ３４は、物品の荷重を測定する機能を有し、この荷重の変化を、扉１８の開閉及び物品の持込み及び持出しの記録とともにコントローラ機構２８に記憶するように構成している。
【００２７】
本手段では、図９に示す重量センサで荷重の変化をコントローラ機構（管理部又は制御部）に記録するので、消耗品の消費状況を記録することができる。システムの管理者は、ロッカーの扉を開かなくても物品の消費状況を把握することができ、物品の補充などの物品の管理が容易となる。
【発明の効果】
【００２８】
第１の手段に係る発明によれば、扉の開閉記録及び操作者の認証記録の履歴とともに、物品の持込み乃至持出しを記憶させるから、物品の管理を的確に行うことができる。
【００２９】
第２の手段に係る発明によれば、扉の施解錠と物品の持込み乃至持出しの時刻を記録したから、物品の利用時間を的確に把握できる。
【００３０】
第３の手段に係る発明によれば、開扉状態で物品の存否を継続的に監視しているから、扉を開いた時点で物品が在ったか否かが明確になり、より確実に物品を管理できる。
【００３１】
第４の手段に係る発明によれば、検知用エリアにおける物品の荷重圧力の変動を検知するから、物品の持出しなどをより的確に把握することができる。
【００３２】
第５の手段に係る発明によれば、測定された物品の重量の変動をコントローラ機構２８に記憶するから、例えば薬品などの消耗品の消費状況が明確に分る。
【図面の簡単な説明】
【００３３】
【図１】本発明の第１の実施形態に係るロッカーシステムの一部の扉を開とした状態での正面図である。
【図２】図１のシステムの全ての扉を閉じた状態での一部透視した側面図である。
【図３】図１のシステムの物品収納室を開放した状態での正面図である。
【図４】図３の物品収納室を、扉を閉じた状態での横断面図である。
【図５】図３の物品収納室を、扉を閉じた状態での縦断面図である。
【図６】図１のシステムの設備収納室を閉鎖した状態での縦断面図である。
【図７】図１のシステムの要部の通信回線の説明図である。
【図８】図１のシステムの構成説明図である。
【図９】本発明の第２の実施形態に係るロッカーシステムの物品収納室の開放状態での縦断面図である。
【発明を実施するための形態】
【００３４】
図１から図８は、本発明の第１の実施形態に係るロッカーシステムを示している。
【００３５】
このロッカーシステムは、図１乃至図２に示すロッカー本体２と、コントローラ機構２８と、図２に示す管理部５０と、図３に示す通信回線６０とで構成されている。
【００３６】
図１には、一つのロッカー本体２しか記載していないが、複数のロッカー本体２及び制御部３０を、一つの管理部５０で管理することが可能である。
【００３７】
ロッカー本体２は、ケーシング３と、扉１６，１８と、施錠手段２４とで形成されている。
【００３８】
上記ケーシング３は、図１の如く前方から見て相互に交差する複数の縦板部４及び水平盤６と、これら縦板部及び水平盤の後面を閉塞する背板部８とで形成されている。
【００３９】
図示の例では、それら縦板部４及び水平盤６で区画される複数の凹所の一つを、後述の制御部を組み込むための設備収納室１０とし、残りの凹所を物品収納室１２に形成している。この図示例の構成は適宜変更することができる。
【００４０】
また図示例では、上記水平盤６は、図３に示す如く下板部６ａと上板部６ｂとを一定の間隙を存して連結した２重板構造であり、その間隙内に後述の物品センサを格納できるようにしている。上板部６ｂには、適数（図示例では２つ）の貫通孔７を穿設している。この貫通孔の周りの上板部分上面は、物品載置面を兼ねた検知用エリアＡである。図３のうち符号Ｃは、ケースなどの物品収納具である。書類などの物品は、物品収納具に入れて検知用エリアに載置することができる。
【００４１】
上記扉１６は設備収納室１０の開口部に、また扉１８は物品収納室１２の開口部に枢着軸２０により枢着されている。設備収納室用の扉１６の上下各部には、各設備を組み付けるための取付凹部１７Ａ及び取付孔１７Ｂを形成している。上述の物品収納室１２と扉１８とで物品収納庫Ｂを構成している。
【００４２】
上記施錠手段２４は、図４に示すように、係合アームを突出可能な係合部（電子錠）２４ａと、係合アームの受部である被係合部２４ｂとで形成されており、その一方を扉側に、他方を物品収納室の内面側に設ける。
【００４３】
上記施錠手段２４は、後述の制御装置からの信号により解錠される。これにより扉１８を開くことができる。扉が閉じられたときには、施錠手段２４は、後述の制御装置からの信号により施錠する。なお、扉が閉じられると自動的に施錠されるように構成してもよいが、そのときには、施錠手段２４から制御装置へ施錠したことを通知する信号を送信するように構成するものとする。
【００４４】
コントローラ機構２８は、図２に示す如く制御部３０と管理部５０とで構成されている。
【００４５】
上記制御部３０は、図８に示す如く第１生体認証用センサ３２と、物品センサ３４と、制御装置４０と、操作パネル４２とは、ＩＯ装置４６とで形成されている。
【００４６】
図示例では、上記制御部３０はロッカー本体２に組み込まれているが、物品センサを除く制御部の各要素はロッカー本体２とは別個に設けてもよい。
【００４７】
上記第１生体認証用センサ３２は、人体から生体情報を読み取って制御装置側へ送り込む機能を有するものである。上記第１生体認証用センサ３２は、既述の指紋・静脈認証、身体的特徴による認証など従来公知の方式を採用することができる。以下の例では指紋認証方式を例にとって説明する。図示例では、図１も示すように第１生認証用認証センサ３２を設備収納室用の扉１６の取付凹部１７Ａ内に配置している。
【００４８】
上記物品センサ３４は、本実施形態では感圧センサであり、図５の如く上方へ突出する感圧用の入力突子３６を有する。この感圧センサは、物品収納室１２の底部である水平盤６内に収納されており、上記貫通孔７から入力突子３６を突出している。
【００４９】
上記感圧センサは、物品の荷重圧力が一定値以上であれば物品の状態を「有」と、一定値以下であれば「無」と２値的に判別する。その判別結果は、管理装置に対して、本実施形態においては制御装置を経由して、また必要であれば直接に送信される。
【００５０】
上記制御装置４０と操作パネル４２とは、図示例では、図６に示すように一体的に結合され、設備収納室用の扉１６の取付孔１７Ｂ内に嵌め込んでいる。もっとも制御装置４０と操作パネル４２とを別々に配置しても構わない。図１に示した操作パネル４２は、ロッカー本体が有する物品収納庫Ｂの番号を表すボタン４３と、操作手順などを表示する表示盤４４とを有している。
【００５１】
上記制御装置４０の主たる機能は、予め登録された人物にのみ、操作パネル４２の操作を許可することである。すなわち、制御装置４０は、第１生体認証用センサ３２から送信された生体情報を、予めメモリーに記憶された生体情報のデータと照合する。制御装置４０は、それら両者が照合する場合にのみ、操作パネル４２からの入力に応じて、該当する施錠手段２４に解錠指令を送信する。
【００５２】
上記制御装置４０の他の機能は、扉１８を解錠したこと、施錠したこと、物品の「有」、「無」を検知したこと、の４つの基本情報を、制御装置４０内に記憶し、また管理装置５６へ送信することである。
【００５３】
これらの情報は逐次送信してもよく、制御装置４０に一時的に記憶され、管理装置５６からの要求により、送信するようにしてもよい。
【００５４】
また各基本情報に対応させて、物品の管理に必要な補足情報（例えば事柄が行われた時刻）を、基本情報とともに送信することができる。各事柄の時刻は、解錠・施錠に関しては例えば解錠指令・施錠指令を発信した時刻とし、物品の有・無に関しては、物品センサ３４から荷重圧力の変化の信号を受信した時刻とすればよい。
【００５５】
さらに上記補足情報には、各事柄の操作者の識別情報を含めるとよい。扉が解錠されてから再び施錠されるまでの、解錠、物品の持込み、物品の持出し、施錠の各事柄は、その解錠のために生体認証した人物によって行われたものとして、その人物のＩＤを各事柄の操作者の識別情報とするように制御装置４０を構成するとよい。
【００５６】
基本情報に補足情報を対応させることは、下記の管理装置に行わせてもよい。
【００５７】
上記管理部５０は、図８に示す如く、第２生体認証用センサ５２と、表示手段５４と、管理装置５６とで構成される。
【００５８】
上記第２生体認証用センサ５２は、第１生体認証用センサ３２で採取した生体情報と照合させるための認証用の情報を採取するためのものである。
【００５９】
上記表示手段５４は、管理装置５６の出力を表示する装置（ＣＲＴや液晶パネルなど）である。
【００６０】
上記管理装置５６は、例えば管理用コンピューターで構成することができ、データベースなどの記憶手段５８を有する。この記憶手段５８は、上記の認証用の情報などのシステムの運用の元になる基礎情報と、ロッカー本体２での施錠・解錠・物品の持込み乃至持出しなどの管理情報とを記憶することができる。
【００６１】
上記管理情報の記録を模式的に表すと、次の表１のようになる。この表は、後述の表示手段５４により表示できるようにするとよい。この表では、扉の解錠状態をＯＦＦ、施錠状態をＯＮで表し、物品が検知用エリアにあることを「有」、検知用エリアにないことを「無」と表示している。
【００６２】
【表１】
2012057371.tif 000003
【００６３】
これらの情報を経時的に表すことで、物品の状態を的確に管理できる。上の表の例では、ロッカー本体２の物品収納庫Ｎｏ．２に関して、操作者Ｘが扉を解錠して物品を持ち出すとともに施錠し、次に操作者Ｙが扉を解錠したが、何も持ち出さずに施錠し、最後に操作者Ｘが扉を解錠して物品を返すとともに施錠をしたことが判る。
【００６４】
上記の表１では、物品の持込み及び物品の持出しを、解錠、施錠と別の情報として扱っているが、例えば解錠、施錠の２つを基本情報とし、物品の持込み及び物品の持出しを解錠の操作の補足情報としてもよい（表２参照）。
【００６５】
【表２】
2012057371.tif 000004
【００６６】
上記管理装置５６は、上記のように各情報を表示する機能を有することが望ましい。もっとも上記の表は単なる一例に過ぎない。各情報の履歴を表示できればよく、その表示方法は適宜変更することができる。
【００６７】
通信回線６０は、施錠手段２４と制御部３０との間、制御部３０と管理部５０との間、制御部３０内部の各装置の間、管理部５０内部の各装置の間で信号や情報を送信するための手段である。図示の通信回線６０は有線であるが、無線方式としてもよい。
【００６８】
図７は、通信回線６０のうちロッカー本体２を通過する部分の配線を表している。符号６２は、管理装置５６側の回線と接続するための接続端子であり、この接続端子６２から延びるケーブルがケーシング３の一部を貫通し、図示の例では縦板部４に沿って設備収納室１０の制御装置４０へ至る。制御装置４０と物品センサ３４との間、乃至制御装置４０と施錠手段２４との間にもそれぞれケーブルが配線されている。
【００６９】
上記構成によれば、扉１８を解錠し、検知用エリアＡから物品を持出し、或いは検知用エリアＡへ物品を持込み（戻し）、施錠するということを、操作者を特定できるように記録して管理するから、物品が紛失したり、或いは長期間持ち出されているときに、簡単に持ち出した人物を特定できる。
【００７０】
なお、利用者認証の手段として、例えば特許文献５の認証カードなどを使用することも出来ないことはないが、そのカードを紛失したり、或いは他人が一時的に不正使用する可能性がある。生体認証を採用することで、認証された利用者の情報と物品の出入りの情報との組み合わせによる管理の精度が向上する。
【００７１】
本発明のシステムは、単に生体認証の機能と、センサによる物品の出入りを確認する機能を組み合わせただけのものではなく、生体認証による人物情報と物の出入りの情報とを一体化して、順序立てて管理することに重点がある。さらに一つの物品収納庫内部を複数の検知用エリアに区画することで、物品収納庫内に収納された複数の物品が紛失したことに長期間気付かないという不都合を低減することもできる。
【００７２】
以下、本発明の他の実施形態を説明する。これらの説明において第１実施形態と同じ構成については解説を省略する。
【００７３】
図９は、本発明の第２の実施形態に係るロッカーシステムの要部を示している。本実施形態は、物品センサ３４を、第１の実施形態の感圧センサから重量センサに変更し、物品の荷重の変化を履歴とともに記録するようにしたものである。
【００７４】
物品センサ３４の入力突子３６の先端には、物品載置台３８を付設している。本実施形態ではこの物品載置台の上面が検知用エリアＡとなる。
【００７５】
本実施形態での管理情報の記録を模式的に表すと、次の表３のようになる。操作者Ｘが物品を持ち出したときの重量と、返還されたときの重量とを比較すると、消費された物品の量が判る。
【００７６】
【表３】
2012057371.tif 000005
【００７７】
物品の重量を記録に残すことにより、次の利点を生ずる。
（イ）物品の消費状況の傾向を正確に把握することができ、例えばその物品を過不足なく補充することが容易である。
（ロ）誰がどれだけの量を消費したということを一定の期間に亘って追跡調査できるから、利用者に物品の消費量を節約することを促すこともできる。
（ハ）例えば複数の本や書類をケースに入れて管理している場合、持出し時と持込み時とで重量が変化しているときには、持ち出した書類などの一部が紛失している（或いは余分な書類が紛れこんでいる）可能性がある。
【実施例】
【００７８】
［実施例１］
（１）本発明のロッカー本体２は、施錠手段でロック可能な物品収納庫Ｂを有するものであり、例えばキャビネットや箪笥などの家具的なもの、建物の設備と一体となったものでも構わない。
（２）本システムの制御装置４０は、適数（一つを含む）の物品収納庫Ｂの解錠を制御する複数個の制御コンピュータとし、また管理装置５６は、それら複数の制御コンピュータと連携して各種機能（サーバー機能を含む）を発揮する一台の管理用コンピュータとすることができる。
（３）すなわち、制御装置４０で解錠操作に必要なマスターデータ（データベースや生体認証データ）は、管理装置５６で作製し、マスタデータ配信処理で各制御装置４０へ送信することができる。
（４）この機能により、管理装置が未稼働の状態でも各制御装置４０が稼動することが可能となる。
【００７９】
［実施例２］
（１）管理装置５６は、用途の異なる複数のロッカー本体（書庫、貴重品庫、更衣室ロッカーなど）を管理することができ、例えば表１〜表３のような動作履歴を表す画面のタイトル（「書庫」や「薬品庫」など）を表示しかつ変更することができる。
（２）管理装置５６は、少なくともシステムの管理者が利用者を登録する機能、ロッカー本体の情報を登録する機能、各物品収納庫Ｂの状況を監視する機能、各物品収納庫Ｂの解錠・施錠・物品の持込み・持出しの履歴を監視する機能を有する。管理装置５６は、管理者毎にどこまでの機能を使用可能とするかを設定できるものとする。
【００８０】
［実施例３］
（１）各制御装置４０に対して解錠操作が可能な利用者は、一人でも複数でもよい。
（２）制御装置４０での認証作業では、生体認証の他に、パスワード入力を要求してもよい。利用者が生体認証手続及びパスワード入力を行った後、制御装置４０は、表示盤４４に解錠表示、或いはエラー表示を行うようにすることができる。
【符号の説明】
【００８１】
２…ロッカー本体  ３…ケーシング  ４…縦板部  ６…水平盤  
６ａ…下板部  ６ｂ…上板部  ７…貫通孔  ８…背板部
１０…設備収納室  １２…物品収納室  １４…係合部  １６、１８…扉
１７Ａ…取付凹部  １７Ｂ…取付孔  ２０…枢着軸
２４…施錠手段  ２４ａ…係合部  ２４ｂ…被係合部  ２８…コントローラ機構
３０…制御部  ３２…第１生体認証用センサ  ３４…物品センサ
３６…入力突子  ３８…物品載置台  ４０…制御装置  ４２…操作パネル
４３…ボタン  ４４…表示盤  ４６…ＩＯ装置
５０…管理部  ５２…第２生体認証用センサ
５４…表示手段５６…管理装置  ５８…記憶手段
６０…通信回線  ６２…接続端子
Ａ…検知用エリア  Ｂ…物品収納庫  Ｃ…物品収納具
【図１】
2012057371.tif 000006
【図２】
2012057371.tif 000007
【図３】
2012057371.tif 000008
【図４】
2012057371.tif 000009
【図５】
2012057371.tif 000010
【図６】
2012057371.tif 000011
【図７】
2012057371.tif 000012
【図８】
2012057371.tif 000013
【図９】
2012057371.tif 000014